(57)【要約】【課題】操作性を向上させる。【解決手段】揮散容器１０は、容器本体１１と、閉塞部１３と、カバーキャップ１４と、含浸体１５と、を備え、カバーキャップ１４には、このカバーキャップ１４と容器本体１１との容器軸Ｏ方向に沿う相対的な接近移動に伴い、閉塞部１３を容器軸Ｏ方向に押圧して口部１２を開放する開放部２６が設けられ、カバーキャップ１４に対して径方向の外側に配置された操作部３５と、操作部３５から、カバーキャップ１４に形成された第１挿通孔４１ａを通してカバーキャップ１４の内側に向けて突出し、この揮散容器１０を、口部１２が下側を向く倒立姿勢にした状態で、容器本体１１を支持するストッパ部３６と、を備えている。【選択図】図５
2015048108.tif 000002
【特許請求の範囲】
【請求項１】
内部に揮散剤を収容する容器本体と、
前記容器本体の口部を開放可能に閉塞する閉塞部と、
容器軸方向に沿う前記容器本体の外側から前記口部を覆うとともに、前記容器本体に対して容器軸方向に接近移動可能に配設されたカバーキャップと、
前記カバーキャップ内に配設され、前記揮散剤が含浸される含浸体と、を備え、
前記カバーキャップには、このカバーキャップと前記容器本体との容器軸方向に沿う相対的な接近移動に伴い、前記閉塞部を容器軸方向に押圧して前記口部を開放する開放部が設けられた揮散容器であって、
前記カバーキャップに対して径方向の外側に配置された操作部と、
前記操作部から、前記カバーキャップに形成された第１挿通孔を通して前記カバーキャップの内側に向けて突出し、この揮散容器を、前記口部が下側を向く倒立姿勢にした状態で、前記容器本体を支持するストッパ部と、を備えていることを特徴とする揮散容器。
【請求項２】
請求項１記載の揮散容器であって、
前記ストッパ部のうち、前記操作部に連結された基端部の反対側に位置する突端部は、前記カバーキャップに形成された第２挿通孔に挿通されるとともに、この揮散容器を前記倒立姿勢にした状態で、前記カバーキャップにおける前記第２挿通孔の開口周縁部により支持されることを特徴とする揮散容器。
【請求項３】
請求項１または２に記載の揮散容器であって、
前記ストッパ部は、第１方向に沿って延びるとともに、前記操作部が前記カバーキャップから前記第１方向に沿って引き離されることで前記カバーキャップから前記第１挿通孔を通して引き抜かれることを特徴とする揮散容器。
【請求項４】
請求項３記載の揮散容器であって、
前記カバーキャップ内には、容器軸方向および前記第１方向の両方向に直交する第２方向への前記ストッパ部の移動を規制する規制部が設けられていることを特徴とする揮散容器。
【請求項５】
請求項３または４に記載の揮散容器であって、
この揮散容器を容器軸方向から見た平面視において、前記ストッパ部は、前記容器本体を、容器軸方向および前記第１方向の両方向に直交する第２方向に挟んで一対設けられていることを特徴とする揮散容器。
【請求項６】
請求項１から５のいずれか１項に記載の揮散容器であって、
前記カバーキャップには、容器軸方向に沿う前記容器本体の内側に向けて延び、この揮散容器を前記倒立姿勢にした状態で、前記ストッパ部を支持する支持部が設けられていることを特徴とする揮散容器。
【請求項７】
請求項１から６のいずれか１項に記載の揮散容器であって、
前記カバーキャップの外周面には、前記操作部が配置される配置凹部が設けられていることを特徴とする揮散容器。
【発明の詳細な説明】
【技術分野】
【０００１】
本発明は、揮散容器に関する。
【背景技術】
【０００２】
従来、揮散容器として、揮散剤を収容する容器本体と、容器本体の口部を開放可能に閉塞する閉塞部と、容器軸方向に沿う容器本体の外側から口部を覆うとともに、容器本体の胴部に装着されるカバーキャップと、口部とカバーキャップとの間に配設され、揮散剤が含浸される含浸体と、を備えた構成が知られている（例えば、特許文献１参照）。
カバーキャップの開口縁には、その周方向に沿って延在する帯状の切取部が弱化部を介して連設されており、これにより、容器本体とカバーキャップとの容器軸方向に沿う相対的な接近移動が規制されている。
【０００３】
上述した揮散容器を開封する場合は、まず容器本体側が上側、カバーキャップ側が下側に位置する倒立姿勢とした状態で、弱化部を介して切取部をカバーキャップから切り離す。次に、容器本体とカバーキャップとを容器軸方向に沿って相対的に接近移動させる。すると、カバーキャップに形成された突起部により閉塞板が破断されることで、容器本体内の揮散剤がカバーキャップの内側に流出する。容器本体から流出した揮散剤は、含浸体に含浸された後、含浸体を介してカバーキャップの外側に揮散される。
【先行技術文献】
【特許文献】
【０００４】
【特許文献１】実開昭６１−９１２２８号公報
【発明の概要】
【発明が解決しようとする課題】
【０００５】
しかしながら、前記従来の揮散容器では、切取部をカバーキャップから切り離すときに、切取部を把持した手を、この揮散容器の周囲を全周にわたって旋回させる必要があり、操作性に改善の余地がある。
【０００６】
本発明は、前述した事情に鑑みてなされたものであって、操作性を向上させることができる揮散容器を提供することを目的とする。
【課題を解決するための手段】
【０００７】
前記課題を解決するために、本発明は以下の手段を提案している。
本発明に係る揮散容器は、内部に揮散剤を収容する容器本体と、前記容器本体の口部を開放可能に閉塞する閉塞部と、容器軸方向に沿う前記容器本体の外側から前記口部を覆うとともに、前記容器本体に対して容器軸方向に接近移動可能に配設されたカバーキャップと、前記カバーキャップ内に配設され、前記揮散剤が含浸される含浸体と、を備え、前記カバーキャップには、このカバーキャップと前記容器本体との容器軸方向に沿う相対的な接近移動に伴い、前記閉塞部を容器軸方向に押圧して前記口部を開放する開放部が設けられた揮散容器であって、前記カバーキャップに対して径方向の外側に配置された操作部と、前記操作部から、前記カバーキャップに形成された第１挿通孔を通して前記カバーキャップの内側に向けて突出し、この揮散容器を、前記口部が下側を向く倒立姿勢にした状態で、前記容器本体を支持するストッパ部と、を備えていることを特徴とする。
【０００８】
この発明によれば、この揮散容器を単に倒立姿勢にしたときには、容器本体がストッパ部により支持されて容器本体の下降が規制され、カバーキャップと容器本体との容器軸方向の位置関係が保持されて、閉塞部による容器本体の口部の閉塞が維持される。
この揮散容器を開封するときには、この揮散容器を倒立姿勢にするとともに、操作部をカバーキャップから径方向の外側に向けて引き離す。このとき、ストッパ部がカバーキャップから第１挿通孔を通して引き抜かれ、容器本体を下降させることが可能になり、カバーキャップと容器本体とを容器軸方向に相対的に接近移動させることができる。これにより、開放部が、閉塞部を容器軸方向に押圧して容器本体の口部を開放し、この口部から流出した揮散剤が含浸体に含浸されて揮散される。
この揮散容器によれば、単に、操作部をカバーキャップから引き離してストッパ部をカバーキャップから引き抜くといった簡便な作業で、カバーキャップと容器本体との容器軸方向の接近移動の規制を解除して容器本体の口部を開放することが可能になり、この揮散容器の操作性を向上させることができる。
【０００９】
また、前記ストッパ部のうち、前記操作部に連結された基端部の反対側に位置する突端部は、前記カバーキャップに形成された第２挿通孔に挿通されるとともに、この揮散容器を前記倒立姿勢にした状態で、前記カバーキャップにおける前記第２挿通孔の開口周縁部により支持されてもよい。
【００１０】
この場合、この揮散容器を倒立姿勢にした状態で、ストッパ部の突端部が、カバーキャップにおける第２挿通孔の開口周縁部により支持されるので、ストッパ部をカバーキャップから引き抜く前に、この揮散容器を倒立姿勢にした場合、ストッパ部をカバーキャップにより補強して、容器本体をストッパ部により確実に支持することができる。これにより、容器本体が意図せず下降するのを抑制することが可能になり、この揮散容器の利便性を向上させることができる。
【００１１】
また、前記ストッパ部は、第１方向に沿って延びるとともに、前記操作部が前記カバーキャップから前記第１方向に沿って引き離されることで前記カバーキャップから前記第１挿通孔を通して引き抜かれてもよい。
【００１２】
この場合、ストッパ部が延びる方向である第１方向に沿って操作部をカバーキャップから引き離すことで、ストッパ部が、カバーキャップから第１挿通孔を通して引き抜かれるので、ストッパ部を、第１挿通孔を通して抵抗少なく引き抜くことが可能になり、この揮散容器の操作性を向上させることができる。
【００１３】
また、前記カバーキャップ内には、容器軸方向および前記第１方向の両方向に直交する第２方向への前記ストッパ部の移動を規制する規制部が設けられていてもよい。
【００１４】
この場合、カバーキャップ内に、規制部が設けられているので、ストッパ部をカバーキャップから引き抜くときに、このストッパ部が第２方向にがたつくことを規制部によって規制することができる。これにより、ストッパ部を第１方向に沿ってスムーズに移動させ、ストッパ部をカバーキャップから円滑に引き抜くことが可能になり、この揮散容器の操作性を向上させることができる。
【００１５】
また、この揮散容器を容器軸方向から見た平面視において、前記ストッパ部は、前記容器本体を、容器軸方向および前記第１方向の両方向に直交する第２方向に挟んで一対設けられていてもよい。
【００１６】
この場合、前記平面視において、ストッパ部が、容器本体を第２方向に挟んで一対設けられているので、倒立姿勢にされた揮散容器において、容器本体をストッパ部により確実に支持して容器本体が意図せず下降するのを抑制しつつ、ストッパ部をカバーキャップから第１方向に引き抜き易くすることが可能になり、この揮散容器の利便性および操作性を向上させることができる。
【００１７】
また、前記カバーキャップには、容器軸方向に沿う前記容器本体の内側に向けて延び、この揮散容器を前記倒立姿勢にした状態で、前記ストッパ部を支持する支持部が設けられていてもよい。
【００１８】
この場合、この揮散容器を倒立姿勢にした状態で、支持部が、ストッパ部を支持するので、ストッパ部をカバーキャップから引き抜く前に、この揮散容器を倒立姿勢にした場合、ストッパ部を支持部により補強して、容器本体をストッパ部により確実に支持することができる。これにより、容器本体が意図せず下降するのを抑制することが可能になり、この揮散容器の利便性を向上させることができる。
【００１９】
また、前記カバーキャップの外周面には、前記操作部が配置される配置凹部が設けられていてもよい。
【００２０】
この場合、カバーキャップの外周面に、配置凹部が設けられているので、操作部がカバーキャップから径方向の外側に張り出すのを抑えることができる。これにより、例えば、カバーキャップの外周面上の凹凸を低減することが可能になり、このカバーキャップの外周面上にシュリンクフィルムを、外観性を確保しつつ巻き付けること等ができる。
【発明の効果】
【００２１】
本発明に係る揮散容器によれば、操作性を向上させることができる。
【図面の簡単な説明】
【００２２】
【図１】本発明の一実施形態に係る揮散容器を示す縦断面図であって、図２に示すＡ−Ａ線に沿う部分断面図である。
【図２】図１に示す揮散容器の底面図である。
【図３】図２に示すＢ−Ｂ線に沿う部分断面図である。
【図４】図１に示す揮散容器を倒立姿勢とした状態を示す部分断面図である。
【図５】図１に示す揮散容器の倒立姿勢とした状態を示す図であって、図３に相当する部分断面図である。
【図６】図１に示す揮散容器を開封した状態を示す部分断面図である。
【図７】本発明の変形例に係る揮散容器を示す縦断面図であって、図８に示すＣ−Ｃ線に沿う部分断面図である。
【図８】図７に示す揮散容器の底面図である。
【図９】図８に示すＤ−Ｄ線に沿う部分断面図である。
【発明を実施するための形態】
【００２３】
以下、図面を参照し、本発明の一実施形態に係る揮散容器を説明する。この揮散容器は、例えば芳香剤、消臭剤、殺虫剤、忌避剤、除菌剤等、揮発性を有する液状の揮散剤を揮散させる。
【００２４】
図１から図３に示すように、揮散容器１０は、揮散剤が収容される有底筒状の容器本体１１と、容器本体１１の口部１２を開放可能に閉塞する有底筒状の閉塞部１３と、閉塞部１３の外側から容器本体１１を覆う有頂筒状のカバーキャップ１４と、カバーキャップ１４内に配設され、揮散剤が含浸される筒状の含浸体１５と、を備えている。
【００２５】
なお容器本体１１、閉塞部１３、カバーキャップ１４および含浸体１５の各中心軸は、共通軸上に位置している。以下、この共通軸を容器軸Ｏといい、容器軸Ｏに沿う容器本体１１側を下側といい、カバーキャップ１４側を上側という。さらに、容器軸Ｏに直交する方向を径方向といい、容器軸Ｏ回りに周回する方向を周方向という。
【００２６】
容器本体１１は、例えばブロー成形などにより、偏平形状に形成されていて、図示の例では、この揮散容器１０を容器軸Ｏ方向から見た平面視において、楕円形状に形成されている。なお以下では、この容器本体１１の平面視形状がなす楕円形状の長軸に沿う方向を長軸方向（第２方向）Ｘといい、短軸に沿う方向を短軸方向（第１方向）Ｙという。これらの長軸方向Ｘおよび短軸方向Ｙ並びに容器軸Ｏ方向は、互いに直交している。
【００２７】
容器本体１１は、底部１６、胴部１７、肩部１８および口部１２が下方から上方に向けてこの順に連設されてなる。容器本体１１のうち、口部１２を除く全体である底部１６、胴部１７および肩部１８は、容器軸Ｏ方向に直交する横断面視で楕円形状を呈し、口部１２は、この横断面視で真円形状を呈している。これらの底部１６、胴部１７、肩部１８および口部１２は容器軸Ｏと同軸に配置されている。
【００２８】
胴部１７は、下側の拡径部１７ａと上側の縮径部１７ｂとが段部を介して連結されてなる。縮径部１７ｂの上端部は、この上端部よりも下側に位置する部分に比べて長軸方向Ｘに小さい。底部１６は、拡径部１７ａと平面視において同等の形状でかつ同等の大きさに形成され、拡径部１７ａの下端開口部を閉塞している。
肩部１８は、縮径部１７ｂの上端開口縁に連設され、上方に向かうに従い漸次、縮径している。口部１２は、肩部１８の上端開口縁から上方に向けて連設されている。口部１２の上部は、下部よりも小径に形成されていて、この上部には、径方向の外側に向けて突出するネックリング１２ａが形成されている。
【００２９】
閉塞部１３は、容器本体１１の口部１２を通した容器本体１１の内外の連通を遮断する。閉塞部１３は、口部１２に装着された装着筒１９と、口部１２の内側に嵌合されたシール筒２０と、口部１２の上端縁上に配置され、装着筒１９およびシール筒２０の上端縁同士を接続する連結環２１と、シール筒２０を閉塞する閉塞板２２と、を備えている。
装着筒１９は、口部１２に外側から装着され、図示の例では、口部１２に外側から嵌合されている。閉塞板２２は、円板状に形成されていて、閉塞板２２の外周縁は、シール筒２０の下端部に、弱化部２３を介して周方向の全周にわたって連結されている。閉塞板２２は、口部１２の上端縁よりも下方に位置している。
【００３０】
カバーキャップ１４は、容器軸Ｏ方向に沿う容器本体１１の外側から容器本体１１の口部１２を覆う。カバーキャップ１４は、容器本体１１に対して容器軸Ｏ方向に接近移動可能に配設されている。カバーキャップ１４は、前記平面視において、容器本体１１と同等の形状でかつ同等の大きさに形成されている。カバーキャップ１４は、容器軸Ｏ方向に直交する横断面視で楕円形状を呈している。カバーキャップ１４は、容器本体１１を径方向の外側から囲繞していて、カバーキャップ１４の下端部内には、容器本体１１の縮径部１７ｂが収容されている。
【００３１】
図３に示すように、カバーキャップ１４の内周面と容器本体１１の外周面との間には、係止部２４ａ、２４ｂと、ガイド部２５ａ、２５ｂと、が設けられている。
係止部２４ａ、２４ｂは、互いに乗り越え可能に係止し合うことで、カバーキャップ１４の下降を規制する。係止部２４ａ、２４ｂには、容器本体１１の外周面に設けられた第１係止部２４ａと、カバーキャップ１４の内周面に設けられた第２係止部２４ｂと、が備えられている。
【００３２】
第１係止部２４ａは、胴部１７の縮径部１７ｂに形成されていて、縮径部１７ｂのうち、短軸方向Ｙを向く部分に形成されている。第１係止部２４ａは、胴部１７の外周面に突起状に形成されている。第２係止部２４ｂは、カバーキャップ１４の内周面に突起状に形成されている。第１係止部２４ａは、第２係止部２４ｂを、この第２係止部２４ｂの下方から支持している。
【００３３】
ガイド部２５ａ、２５ｂは、カバーキャップ１４と容器本体１１との容器軸Ｏ方向に沿った接近移動をガイドする。ガイド部２５ａ、２５ｂには、カバーキャップ１４の内周面および容器本体１１の外周面のうちのいずれか一方に設けられ、容器軸Ｏ方向に開口するガイド凹部２５ａと、いずれか他方に設けられ、ガイド凹部２５ａに、このガイド凹部２５ａから容器軸Ｏ方向に挿抜可能に配置されたガイド凸部２５ｂと、が備えられている。
【００３４】
ガイド凹部２５ａは、容器本体１１の外周面に設けられ、ガイド凸部２５ｂは、カバーキャップ１４の内周面に設けられている。ガイド凹部２５ａは、胴部１７の縮径部１７ｂに形成されていて、縮径部１７ｂのうち、短軸方向Ｙを向く部分に、第１係止部２４ａを回避して形成されている。ガイド凹部２５ａは、容器軸Ｏ方向に沿って延び、肩部１８から上方に向けて開口している。
【００３５】
ガイド凸部２５ｂは、カバーキャップ１４の内周面から径方向の内側に向けて突出する板状に形成され、容器軸Ｏ方向に沿って延びている。ガイド凸部２５ｂの上端部は、カバーキャップ１４の天壁部１４ａに連結され、ガイド凸部２５ｂの下端部は、ガイド凹部２５ａ内に配置されている。
【００３６】
図１から図３に示すように、カバーキャップ１４の天壁部１４ａには、開放部２６と、囲繞壁部２７と、外筒部２８と、支持部２９と、が設けられている。
開放部２６は、このカバーキャップ１４と容器本体１１との容器軸Ｏ方向に沿う相対的な接近移動に伴い、閉塞部１３を容器軸Ｏ方向に押圧して容器本体１１の口部１２を開放する。開放部２６は、弱化部２３を破断して口部１２を開放する。開放部２６は、カバーキャップ１４の天壁部１４ａのうち、閉塞部１３の弱化部２３と容器軸Ｏ方向で対向する部分に設けられている。
【００３７】
開放部２６は、下方に向けて延びる筒状とされ、開放部２６の下端縁は、この開放部２６を短軸方向Ｙから見て、容器軸Ｏ方向に交差する方向に向けて傾斜している。開放部２６のうち、周方向の一部には、開放部２６を径方向に貫通する連通溝３０が形成されている。連通溝３０は、容器軸Ｏ方向に沿って開放部２６の全体にわたって延びるスリット状とされている。連通溝３０は、開放部２６のうち、容器軸Ｏ方向に沿う長さが最も短い短尺部分に形成されている。この短尺部分は、開放部２６のうち、長軸方向Ｘを向く部分となっている。
【００３８】
囲繞壁部２７は、天壁部１４ａのうち、開放部２６に対して径方向の外側に位置する部分に配設され、開放部２６を囲繞する筒状に形成されている。囲繞壁部２７は、容器本体１１の口部１２およびネックリング１２ａよりも大径に形成されている。囲繞壁部２７は、開放部２６よりも容器軸Ｏ方向に長く、囲繞壁部２７の下端部は、ネックリング１２ａよりも下側に位置するとともに肩部１８よりも上側に位置している。囲繞壁部２７の下端部内には、ネックリング１２ａが配置されている。
【００３９】
囲繞壁部２７には、径方向の内側に向けて突出する突起部３１ａ、３１ｂが形成されている。突起部３１ａ、３１ｂは、容器本体１１のネックリング１２ａに乗り越え可能に係止する。突起部３１ａ、３１ｂは、容器軸Ｏ方向に間隔をあけて一対設けられている。突起部３１ａ、３１ｂには、下側に位置する第１突起部３１ａと、上側に位置する第２突起部３１ｂと、が設けられている。第１突起部３１ａは、ネックリング１２ａに、このネックリング１２ａの下側から乗り越え可能に係止している。第１突起部３１ａは、ネックリング１２ａから上側に離間している。
【００４０】
図２および図３に示すように、囲繞壁部２７には、容器軸Ｏ方向に沿って延びる連通凹部３２が周方向に間隔をあけて形成されている。各連通凹部３２は、容器軸Ｏ方向に沿った囲繞壁部２７の全長にわたって形成されており、囲繞壁部２７の内外を径方向に連通している。連通凹部３２は、容器軸Ｏを間に挟んで一対設けられていて、これらの両連通凹部３２は、囲繞壁部２７において、短軸方向Ｙを向く各部分に配置されている。
【００４１】
天壁部１４ａのうち、各連通凹部３２内に位置する部分には、上方に向けて窪む連通路３３が形成されている。連通路３３は、径方向に沿って延びる長溝であり、連通路３３のうち、径方向の内側に位置する端部は開放部２６に近接し、径方向の外側に位置する端部は連通凹部３２内に位置している。連通路３３は、天壁部１４ａに複数形成され、開放部２６を中心として放射状に配置されている。図示の例では、連通路３３は、容器軸Ｏを径方向に挟んで一対配置され、これらの両連通路３３は、前記平面視において容器軸Ｏを通る同一直線上に位置している。
【００４２】
図１から図３に示すように、外筒部２８は、天壁部１４ａのうち、囲繞壁部２７に対して径方向の外側に位置する部分に配設されている。外筒部２８は、囲繞壁部２７に対して径方向に間隔をあけて配設され、囲繞壁部２７を取り囲む。外筒部２８は、囲繞壁部２７よりも容器軸Ｏ方向に短く形成されている。外筒部２８の外周面には、前述のガイド凸部２５ｂの上端部が連結されている。
【００４３】
支持部２９は、カバーキャップ１４から容器軸Ｏ方向に沿う容器本体１１の内側である下側に向けて延びている。支持部２９は、容器軸Ｏを長軸方向Ｘに挟んで一対形成され、これらの両支持部２９は、前記平面視において容器軸Ｏを基準として点対称に配置されている。
【００４４】
支持部２９は、表裏面が長軸方向Ｘを向く板状に形成されていて、短軸方向Ｙに直線状に延びている。両支持部２９間の長軸方向Ｘの間隔は、容器本体１１の縮径部１７ｂにおける上端部の長軸方向Ｘに沿った大きさよりも大きくなっていて、両支持部２９の間には、縮径部１７ｂが容器軸Ｏ方向に進入可能となっている。支持部２９の下端部は、容器本体１１の口部１２の下端部と容器軸Ｏ方向に同等の位置に配置されている。
【００４５】
含浸体１５は、多孔質材、例えばろ紙やスポンジ体等により形成され、容器本体１１からカバーキャップ１４内に流出する揮散剤を含浸する。含浸体１５は、囲繞壁部２７と外筒部２８との間に装着されている。含浸体１５の上端部は、囲繞壁部２７と外筒部２８との間に保持され、含浸体１５の下端部は、囲繞壁部２７および外筒部２８よりも下方に突出し、容器本体１１の肩部１８よりも上側に位置している。
【００４６】
含浸体１５には、下方に向けて開口する切り込み１５ａが形成されている。切り込み１５ａは、周方向に間隔をあけて形成され、含浸体１５のうち、周方向に隣り合う切り込み１５ａ間に位置する部分に、含浸片１５ｂを形成している。含浸片１５ｂは、径方向に撓み変形可能とされている。含浸片１５ｂは、カバーキャップ１４に形成された揮散窓３４と径方向に対向している。揮散窓３４は、カバーキャップ１４の周壁部１４ｂを貫通していて、カバーキャップ１４のうち、短軸方向Ｙを向く部分に、周方向に間隔をあけて複数設けられている。
【００４７】
ところで、この揮散容器１０には、操作部３５と、ストッパ部３６と、が更に備えられている。操作部３５は、カバーキャップ１４に対して径方向の外側に配置されている。操作部３５は、カバーキャップ１４に対して短軸方向Ｙの外側に位置している。操作部３５は、ベース部３７と、リング部３８と、を備えている。
【００４８】
ベース部３７は、周方向に延びていて、ベース部３７の周方向の中央部には、短軸方向Ｙに突出する嵌合凸部３９ａが配置されている。
リング部３８の中心軸は、短軸方向Ｙに延びている。リング部３８は、このリング部３８の正面視において、周方向に長い楕円形状に形成されている。リング部３８の上端部は、ヒンジ部４０を介してベース部３７の周方向の中央部に連結されている。リング部３８は、ヒンジ部４０回りに回動可能に形成されている。
【００４９】
リング部３８において、径方向の外側を向く外面には、前記嵌合凸部３９ａが嵌合可能な嵌合凹部３９ｂが形成されている。リング部３８において、径方向の内側を向く内面には、カバーキャップ１４に形成された図示しない凹部に離脱可能に嵌合されるボス部３８ａが形成されている。
【００５０】
この操作部３５は、カバーキャップ１４に形成された第１挿通孔４１ａを覆っている。第１挿通孔４１ａは、カバーキャップ１４において短軸方向Ｙを向く部分に形成されている。第１挿通孔４１ａは、周方向に間隔をあけて一対配置されていて、操作部３５のベース部３７により短軸方向Ｙの外側から覆われている。第１挿通孔４１ａは、下側に向けて非開口となっている。
【００５１】
ストッパ部３６は、操作部３５から、第１挿通孔４１ａを通してカバーキャップ１４の内側に向けて突出していて、短軸方向Ｙに延びている。前記平面視において、ストッパ部３６は、容器本体１１を長軸方向Ｘに挟んで一対設けられている。これらの両ストッパ部３６は、長軸方向Ｘに対称に形成され、容器軸Ｏ方向に同等の位置に配置されている。ストッパ部３６は、容器軸Ｏに直交する直交面に沿って延びていて、表裏面が容器軸Ｏ方向を向く板状に形成されている。ストッパ部３６は、ベース部３７における周方向の両端部から、短軸方向Ｙの内側に向けて各別に突出している。
【００５２】
ストッパ部３６のうち、操作部３５に連結された基端部は、第１挿通孔４１ａに抜き出し可能に挿通され、基端部の反対側に位置する突端部は、カバーキャップ１４に形成された第２挿通孔４１ｂに、抜き出し可能に挿通されている。第２挿通孔４１ｂは、カバーキャップ１４において、第１挿通孔４１ａと短軸方向Ｙに対向する部分に、下側に向けて非開口に設けられている。ストッパ部３６の突端部は、第２挿通孔４１ｂを通してカバーキャップ１４の内側から外側に突出していて、この突端部には、カバーキャップ１４における第２挿通孔４１ｂの開口周縁部に係止する係止突起３６ａが設けられている。
【００５３】
ストッパ部３６の突端部および基端部はそれぞれ、カバーキャップ１４における各挿通孔４１ａ、４１ｂの開口周縁部により下側から支持され、周壁部１４ｂにより支持されている。ストッパ部３６において、突端部と基端部との間に位置する中間部は、容器本体１１の肩部１８と、支持部２９の下端部と、の間に容器軸Ｏ方向に挟持されている。
【００５４】
カバーキャップ１４内には、ストッパ部３６の長軸方向Ｘへの移動を規制する規制部４２が設けられている。規制部４２は、ストッパ部３６と支持部２９との間に設けられていて、図示の例では、一対のストッパ部３６に各別に設けられている。規制部４２は、ストッパ部３６において上側を向く表面に配置され、短軸方向Ｙに延びる突条に形成されている。規制部４２は、ストッパ部３６において長軸方向Ｘの外側に位置する端部に設けられ、支持部２９の下端部に、この支持部２９の長軸方向Ｘの外側から当接している。規制部４２は、支持部２９に短軸方向Ｙに摺動可能に当接している。
【００５５】
次に、この揮散容器１０の開封方法について説明する。
この揮散容器１０は、店舗での陳列時等の流通段階や、使用時等では、図１および図３に示したような、容器本体１１の口部１２が上方を向き、底部１６が下方を向く正立姿勢ではなく、図４および図５に示すような、口部１２が下方を向き、底部１６が上方を向く倒立姿勢にされる。
【００５６】
この揮散容器１０を単に倒立姿勢にしたときには、カバーキャップ１４における各挿通孔４１ａ、４１ｂの開口周縁部が、ストッパ部３６の突端部および基端部を下側から支持し、支持部２９が、ストッパ部３６における中間部を下側から支持している。そして、このストッパ部３６が容器本体１１を下側から支持することで、容器本体１１の下降が規制されている。さらに本実施形態では、係止部２４ａ、２４ｂが、互いに乗り越え可能に係止し合うことでも、容器本体１１の下降が規制されている。
【００５７】
以上より、倒立姿勢にされた揮散容器１０では、カバーキャップ１４と容器本体１１との容器軸Ｏ方向に沿った位置関係が保持され、閉塞部１３による容器本体１１の口部１２の閉塞が維持される。なお、ストッパ部３６および係止部２４ａ、２４ｂは共同で、容器本体１１、閉塞部１３および揮散剤の重量を受け止めており、本実施形態では、主にストッパ部３６が、この重量を受け止めていて、係止部２４ａ、２４ｂは、ストッパ部３６を補助する役割を担っている。
【００５８】
この揮散容器１０を開封するときには、図５に示す２点鎖線のように、リング部３８をヒンジ部４０回りに回動させて嵌合凸部３９ａを嵌合凹部３９ｂ内に嵌合させ、リング部３８を、前記直交面に沿わせて容器軸Ｏ方向に開口させる。そして操作部３５を、例えばリング部３８に指をかける等した状態で、カバーキャップ１４から短軸方向Ｙの外側に向けて引き離す。
【００５９】
すると、ストッパ部３６の係止突起３６ａが、カバーキャップ１４における第２挿通孔４１ｂおよび第１挿通孔４１ａそれぞれの開口周縁部を短軸方向Ｙに順次、乗り越えて、ストッパ部３６が第１挿通孔４１ａを通してカバーキャップ１４から引き抜かれる。このとき、ストッパ部３６の長軸方向Ｘへの移動は、規制部４２によって規制される。
【００６０】
ストッパ部３６がカバーキャップ１４から引き抜かれると、ストッパ部３６による容器本体１１の下降の規制が解除される。したがってその後、例えば、容器本体１１を下方に押し込んだり、揮散剤が収容された容器本体１１の自重を利用したりすることで、係止部２４ａ、２４ｂを互いに乗り越えさせて容器本体１１を下降させることが可能になり、カバーキャップ１４と容器本体１１とを容器軸Ｏ方向に相対的に接近移動させることができる。
【００６１】
すると図６に示すように、カバーキャップ１４の開放部２６が、例えば閉塞部１３の弱化部２３に突き当たること等により、弱化部２３が破断される。これにより、閉塞板２２がシール筒２０から離脱して、容器本体１１の口部１２が開放され、容器本体１１内に収容された揮散剤がカバーキャップ１４内に流出する。このとき、閉塞板２２の連結環２１がカバーキャップ１４の天壁部１４ａに当接するまで、容器本体１１とカバーキャップ１４とを接近させ、容器本体１１のネックリング１２ａに第２突起部３１ｂを乗り越えさせる。これにより、カバーキャップ１４内において、囲繞壁部２７の内外が連通路３３のみを通して径方向に連通する。
【００６２】
さらに、容器本体１１とカバーキャップ１４とが接近すると、含浸体１５の含浸片１５ｂが容器本体１１の肩部１８に当接することで、各含浸片１５ｂが径方向の外側に向けて撓み変形する。
容器本体１１から流出した揮散剤は、連通路３３内に流入し、連通路３３において、連通凹部３２内に位置する部分である径方向の外側の端部から、毛細管現象等によって含浸体１５に含浸される。そして、含浸体１５に含浸された揮散剤は、揮発しながらカバーキャップ１４の揮散窓３４を通して外部に導出される。
【００６３】
以上説明したように、本実施形態に係る揮散容器１０によれば、単に、操作部３５をカバーキャップ１４から引き離してストッパ部３６をカバーキャップ１４から引き抜くといった簡便な作業で、カバーキャップ１４と容器本体１１との容器軸Ｏ方向の接近移動の規制を解除して容器本体１１の口部１２を開放することが可能になり、この揮散容器１０の操作性を向上させることができる。
【００６４】
また、ストッパ部３６が延びる方向である短軸方向Ｙに沿って操作部３５をカバーキャップ１４から引き離すことで、ストッパ部３６が、カバーキャップ１４から第１挿通孔４１ａを通して引き抜かれるので、ストッパ部３６を、第１挿通孔４１ａを通して抵抗少なく引き抜くことが可能になり、この揮散容器１０の操作性を向上させることができる。
【００６５】
また、この揮散容器１０を倒立姿勢にした状態で、ストッパ部３６の突端部および基端部がそれぞれ、カバーキャップ１４の周壁部１４ｂにより支持されるので、ストッパ部３６をカバーキャップ１４から引き抜く前に、この揮散容器１０を倒立姿勢にした場合、ストッパ部３６をカバーキャップ１４の周壁部１４ｂにより補強して、容器本体１１をストッパ部３６により確実に支持することができる。これにより、容器本体１１が意図せず下降するのを抑制することが可能になり、この揮散容器１０の利便性を向上させることができる。
【００６６】
また、この揮散容器１０を倒立姿勢にした状態で、支持部２９が、ストッパ部３６を支持するので、ストッパ部３６をカバーキャップ１４から引き抜く前に、この揮散容器１０を倒立姿勢にした場合、ストッパ部３６を支持部２９により補強して、容器本体１１をストッパ部３６により確実に支持することができる。これにより、容器本体１１が意図せず下降するのを抑制することが可能になり、この揮散容器１０の利便性を向上させることができる。
【００６７】
また、カバーキャップ１４内に、規制部４２が設けられているので、ストッパ部３６をカバーキャップ１４から引き抜くときに、このストッパ部３６が長軸方向Ｘにがたつくことを規制部４２によって規制することができる。これにより、ストッパ部３６を短軸方向Ｙに沿ってスムーズに移動させ、ストッパ部３６をカバーキャップ１４から円滑に引き抜くことが可能になり、この揮散容器１０の操作性を向上させることができる。
【００６８】
また前記平面視において、ストッパ部３６が、容器本体１１を長軸方向Ｘに挟んで一対設けられているので、倒立姿勢にされた揮散容器１０において、容器本体１１をストッパ部３６により確実に支持して容器本体１１が意図せず下降するのを抑制しつつ、ストッパ部３６を短軸方向Ｙに引き抜き易くすることが可能になり、この揮散容器１０の利便性および操作性を向上させることができる。
【００６９】
また本実施形態では、含浸体１５が囲繞壁部２７の外側に配設されるとともに、囲繞壁部２７の内側と外側とが連通路３３によって連通しているため、揮散剤が大量に含浸体１５に向けて流出するのを抑制できる。これにより、揮散剤が大量に揮散するのを抑制して、揮散効果を長期にわたって持続できるとともに、揮散剤が揮散窓３４から直接漏出するのを防止できる。
【００７０】
しかも、囲繞壁部２７を周方向で分断する連通凹部３２が形成されているため、囲繞壁部２７が径方向に弾性変形可能となる。これにより、例えば含浸体１５をカバーキャップ１４に取り付ける際、径方向の内側に向けて囲繞壁部２７を弾性変形させた状態で囲繞壁部２７と外筒部２８との間に含浸体１５をセットすることができる。その結果、含浸体１５の取付け作業が簡単になり、揮散容器１０の製造効率を向上させることができる。
さらに、囲繞壁部２７のうち、連通凹部３２が位置する部分に上述した連通路３３が形成されているため、カバーキャップ１４を成形するための金型を簡素化することができる。その結果、更なる製造効率の向上を図るとともに、低コスト化を実現できる。
【００７１】
またこの揮散容器１０では、倒立姿勢において、容器本体１１の肩部１８が上方から下方に向かうに従い漸次縮径しているため、容器本体１１内の揮散剤が口部１２に向けて案内され易くなる。そのため、容器本体１１内の揮散剤を最後まで使い切り易い。
【００７２】
なお、本発明の技術的範囲は前記実施形態に限定されるものではなく、本発明の趣旨を逸脱しない範囲において種々の変更を加えることが可能である。
【００７３】
例えば本発明では、図７から図９に示すような揮散容器５０を採用することができる。
この揮散容器５０では、カバーキャップ１４の外周面に、操作部３５が配置される配置凹部５１が設けられている。配置凹部５１は、カバーキャップ１４の周壁部１４ｂにおいて短軸方向Ｙを向く部分に形成されていて、上方に向けて開口している。配置凹部５１の底面には、前記揮散窓３４が設けられている。
またこの揮散容器５０では、操作部３５に、前記ベース部３７を設けさせるのに代えて、リング部３８から周方向に突出する突出部５２が設けられている。突出部５２は、リング部３８を周方向に挟んで一対設けられている。そしてストッパ部３６は、突出部５２からカバーキャップ１４の内側に向けて突出していて、このストッパ部３６をカバーキャップ１４から引き抜くときには、例えばリング部３８に指をかける等して、突出部５２とストッパ部３６とが連結される部分を弾性変形させながら、操作部３５をカバーキャップ１４から引き離す。
この場合、カバーキャップ１４の外周面に、配置凹部５１が設けられているので、操作部３５がカバーキャップ１４から径方向の外側に張り出すのを抑えることができる。これにより、例えば、カバーキャップ１４の外周面上の凹凸を低減することが可能になり、このカバーキャップ１４の外周面上にシュリンクフィルムを、外観性を確保しつつ巻き付けること等ができる。
【００７４】
また本発明では、係止部２４ａ、２４ｂ、ガイド部２５ａ、２５ｂ、支持部２９、突起部３１ａ、３１ｂ、嵌合凸部３９ａ、嵌合凹部３９ｂ、ヒンジ部４０および規制部４２がなくてもよい。
【００７５】
また規制部４２は、前記実施形態に示した構成に限られない。例えば、図１に示すような揮散容器において、規制部が、ストッパ部の表面に、支持部の下端部が嵌合される凹溝状に形成されていてもよい。さらに、規制部が支持部に形成されていてもよい。本発明では、規制部を、ストッパ部が延びる方向である第１方向および容器軸方向の両方向に直交する第２方向に、ストッパ部が移動することを規制する他の形態に適宜変更してもよい。
【００７６】
また前記実施形態では、一対のストッパ部３６が、長軸方向Ｘに対称に形成され、容器軸Ｏ方向に同等の位置に配置されているが、本発明はこれに限られない。例えば、一対のストッパ部の容器軸方向の位置が、互いに異なっていてもよい。本発明では、一対のストッパ部を、前記平面視において、ストッパ部が延びる方向である第１方向および容器軸方向の両方向に直交する第２方向に、容器本体を挟んで一対設けられた他の形態に適宜変更してもよい。
また前記実施形態では、ストッパ部３６は、前記直交面に沿って延びているが、本発明はこれに限られない。例えば、ストッパ部が、前記直交面に対して傾斜していてもよい。
さらに本発明では、ストッパ部３６が一対設けられていなくてもよい。例えば、ストッパ部が１つであったり、３つ以上であったりしてもよい。
【００７７】
また前記実施形態では、ストッパ部３６が延びる方向である短軸方向Ｙに沿って操作部３５をカバーキャップ１４から引き離すことで、ストッパ部３６が、カバーキャップ１４から第１挿通孔４１ａを通して引き抜かれるが、本発明はこれに限られない。例えば本発明では、ストッパ部が短軸方向に交差する方向に延びる一方、操作部をカバーキャップから短軸方向に沿って引き離すことで、ストッパ部をカバーキャップから引き抜くように構成してもよい。この場合、例えば、ストッパ部を長軸方向に弾性変形させながらカバーキャップから引き抜く等してもよい。
【００７８】
また前記実施形態では、ストッパ部３６の突端部および基端部がそれぞれ、この揮散容器１０を倒立姿勢にした状態で、カバーキャップ１４の周壁部１４ｂにより支持されるが、本発明はこれに限られない。例えば、ストッパ部の突端部がカバーキャップ内に位置し、カバーキャップにより支持されていなくてもよい。さらに例えば、この揮散容器を倒立姿勢にした状態で、ストッパ部の基端部が、第１挿通孔内において、カバーキャップにおける挿通孔の開口周縁部から離間して配置され、カバーキャップにより支持されていなくてもよい。また本発明では、各挿通孔４１ａ、４１ｂが、この揮散容器１０、５０を正立姿勢した状態で、下方に向けて開口していてもよい。
【００７９】
また本発明では、容器本体１１およびカバーキャップ１４における容器軸Ｏ方向に直交する断面視形状が、楕円形状に限られない。例えばこの断面視形状が、真円形状や角型形状などであってもよい。
【００８０】
また前記実施形態では、閉塞部１３が弱化部２３を破断することで口部１２を開放するが、本発明はこれに限られない。例えば本発明では、閉塞部の形状を、中栓形状やフィルム形状などに適宜、設計変更することができる。さらに例えば、本発明では、開放部の形状を、十字状のリブ等に適宜、設計変更することもできる。
【００８１】
また前記実施形態では、閉塞部１３がカバーキャップ１４の天壁部１４ａに当接するまで、容器本体１１とカバーキャップ１４とを接近移動させることができるが、本発明はこれに限られない。例えば本発明では、閉塞部が開放された後、閉塞部がカバーキャップの天壁部に当接するまで、容器本体とカバーキャップとが接近移動しない構成に適宜変更することができる。
【００８２】
また前記実施形態では、カバーキャップ１４側に連通路３３を形成したが、本発明はこれに限られない。例えば、閉塞部などの容器本体側に連通路を形成してもよい。
さらに本発明では、含浸体１５は、前記実施形態に示したものに限られない。
【００８３】
また本発明では、流通段階等において、シュリンクラベルやストレッチラベル等のラベルを揮散容器１０、５０に装着したり、揮散容器１０、５０を箱等に収納したりしてもよい。
さらに前記実施形態では、揮散容器１０、５０が倒立姿勢で流通するが、本発明はこれに限られない。例えば揮散容器１０、５０を、少なくとも使用時において倒立姿勢にし、正立姿勢にした状態で流通させる等してもよい。
【００８４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００８５】
１０、５０  揮散容器
１１  容器本体
１２  口部
１３  閉塞部
１４  カバーキャップ
１４ｂ  周壁部
１５  含浸体
２６  開放部
３５  操作部
３６  ストッパ部
５１  配置凹部
Ｏ  容器軸
Ｘ  長軸方向（第２方向）
Ｙ  短軸方向（第１方向）
【図１】
2015048108.tif 000003
【図２】
2015048108.tif 000004
【図３】
2015048108.tif 000005
【図４】
2015048108.tif 000006
【図５】
2015048108.tif 000007
【図６】
2015048108.tif 000008
【図７】
2015048108.tif 000009
【図８】
2015048108.tif 000010
【図９】
2015048108.tif 000011